(57)【要約】  セッション・イニシエーション・プロトコル（ＳＩＰ）に基づくサービスに対して適用する、無線端末のユーザ識別の相互作用をセーブするための方法。当該方法は、無線ｖＣａｒｄに無線ｖＣａｒｄのコンテントとしてＳＩＰ  ＵＲＩをセーブするステップと、無線端末間または無線端末及びネットワーク側間で無線ｖＣａｒｄフォーマットでＳＩＰ  ＵＲＩを相互作用するステップとを含む。本発明は、ＳＩＰサービス記憶態様に基づく無線端末において用いるＳＩＰ  ＵＲＩが異なっているという問題、また、端末交換ＳＩＰ  ＵＲＩ情報が便宜的でないという問題を解決する。
2009503957.tif 000002
【特許請求の範囲】
【請求項１】
セッション・イニシエーション・プロトコルに基づくサービスにおいて適用される、無線端末の加入者識別の記憶及び相互作用のための方法であって、無線電子カードのコンテントとして無線電子カードにおける無線端末のセッション・イニシエーション・プロトコル・ユニバーサル・リソース指示子情報を記憶することを含み、該セッション・イニシエーション・プロトコル・ユニバーサル・リソース指示子情報は、無線端末間で、もしくは無線電子カードの形態においてネットワーク側及び無線端末間で相互作用する方法。
【請求項２】
当該方法における記憶プロセスは、さらに、セッション・イニシエーション・プロトコル・ユニバーサル・リソース指示子情報及び同じ無線電子カードにおけるセッション・イニシエーション・プロトコル・ユニバーサル・リソース指示子情報に対応するサービスの識別を記憶することを含む請求項１に記載の無線端末の加入者識別の記憶及び相互作用のための方法。
【請求項３】
当該方法における記憶プロセスは、さらに、所定の識別に従ってセッション・イニシエーション・プロトコル・ユニバーサル・リソース指示子情報を含む無線電子カードを識別することを含む請求項１または２に記載の無線端末の加入者識別の記憶及び相互作用のための方法。
【請求項４】
無線電子カードは、局部標準限定された電子カードであり、局部標準限定された電子カードの交換技術に従って相互作用するか、または
無線電子カードは、ＤｅｖＩｎｆｏであり、ＤｅｖＩｎｆｏの交換技術に従って相互作用する請求項１に記載の無線端末の加入者識別の記憶及び相互作用のための方法。
【請求項５】
無線電子カードは、局部標準限定された電子カードであり、
記憶プロセスは、
記憶された情報が局部標準限定された電子カードのプロパティ・ネームとしてのセッション・イニシエーション・プロトコル・ユニバーサル・リソース指示子情報であることを表す指定された識別を記憶することと、
局部標準限定された電子カードのパラメータとしてセッション・イニシエーション・プロトコル・サービス識別を記憶することと、
局部標準限定された電子カードのプロパティ値としてセッション・イニシエーション・プロトコル・サービスに対応するセッション・イニシエーション・プロトコル・ユニバーサル・リソース指示子情報を記憶することと、
を含む請求項４に記載の無線端末の加入者識別の記憶及び相互作用のための方法。
【請求項６】
当該方法におけるセッション・イニシエーション・プロトコル・ユニバーサル・リソース指示子情報の相互作用プロセスは、
送信器が、局部標準限定された電子カードの交換技術を介して受信器に局部標準限定された電子カードのリストを送信することと、
受信器が、局部標準限定された電子カードのリストを探索し、そして、指定された識別に対応する局部標準限定された電子カードのプロパティ・ネームを見つけることと、
局部標準限定された電子カードのプロパティ・ネームを選択し、そして、該プロパティ・ネームをセッション・イニシエーション・プロトコル・ユニバーサル・リソース指示子情報として記憶することと、
を含む請求項５に記載の無線端末の加入者識別の記憶及び相互作用のための方法。
【請求項７】
各無線端末は、１つのセッション・イニシエーション・プロトコル・ユニバーサル・リソース指示子だけを有し、そして、無線端末によって登録されたすべてのＳＩＰサービスは、同じセッション・イニシエーション・プロトコル・ユニバーサル・リソース指示子を用いるか、または
各無線端末は、幾つかのセッション・イニシエーション・プロトコル・ユニバーサル・リソース指示子を有し、そして、無線端末によって登録された各セッション・イニシエーション・プロトコル・サービスは、異なったセッション・イニシエーション・プロトコル・ユニバーサル・リソース指示子を用いるか、または
各無線端末は、幾つかのセッション・イニシエーション・プロトコル・ユニバーサル・リソース指示子を有し、そして、無線端末によって登録された幾つかのセッション・イニシエーション・プロトコル・サービスは、異なったセッション・イニシエーション・プロトコル・ユニバーサル・リソース指示子を用い、そして、幾つかのセッション・イニシエーション・プロトコル・サービスは、同じセッション・イニシエーション・プロトコル・ユニバーサル・リソース指示子を用いるかする請求項１に記載の無線端末の加入者識別の記憶及び相互作用のための方法。
【請求項８】
無線端末間での無線電子カードの相互作用は、赤外線送信、ブルートゥース送信または無線電話ネットワーク送信で行われ、
無線端末及びネットワーク間での無線電子カードの相互作用は、パケット・ドメイン・データ送信及び／または回路ドメイン・データ送信で行われる
請求項１に記載の無線端末の加入者識別の記憶及び相互作用のための方法。
【請求項９】
セッション・イニシエーション・プロトコルに基づくサービスにおいて適用される、無線端末の加入者識別の記憶及び相互作用のための装置であって、
局部無線電子カードを維持するための、かつ、無線電子カードの他の無線端末との交換またはネットワーク側との交換を実現するための無線電子カード機能モジュールと、
該無線電子カード機能モジュールにおける無線電子カード・リストに無線電子カードの形態でセッション・イニシエーション・プロトコル・ユニバーサル・リソース指示子情報を記憶するために、無線電子カード機能モジュールと接続されたカード生成モジュールと、
を備えた無線端末の加入者識別の記憶及び相互作用のための装置。
【請求項１０】
他の無線端末の無線電子カード情報から、または無線電子カード機能モジュールによって受信されたネットワーク側から、セッション・イニシエーション・プロトコル・ユニバーサル・リソース指示子情報を含む無線電子カードを見つけるために、そして、セッション・イニシエーション・プロトコル・ユニバーサル・リソース指示子情報を選択して、それをセッション・イニシエーション・プロトコル・ユニバーサル・リソース指示子記憶モジュールに記憶するために、無線電子カード機能モジュールに接続されたカード分析モジュールと、
セッション・イニシエーション・プロトコル・ユニバーサル・リソース指示子情報を記憶するために、カード分析モジュール及びカード生成モジュールに接続されたセッション・イニシエーション・プロトコル・ユニバーサル・リソース指示子記憶モジュールと、
をさらに備えた請求項９に記載の無線端末の加入者識別の記憶及び相互作用のための装置。
【発明の詳細な説明】
【技術分野】
【０００１】
本発明は、無線通信の分野に関し、特に、無線端末の加入者識別の記憶及び相互作用のための方法及び装置に関するものである。
【背景技術】
【０００２】
ＩＰネットワークに基づく、特に、インターネットに基づくリアルタイム通信を実現するためのものである、セッション・イニシエーション（開始）・プロトコル（ＳＩＰ）は、１９９９年にインターネット・エンジニアリング・タスク・フォース（ＩＥＴＦ）により提案された。
【０００３】
ＳＩＰは、マルチメディアに対してテキスト・アプリケーションを支援することから発展してきており、そしてＳＩＰは、次世代のネットワーク（ＮＧＮ）における中心的なコントロール・プロトコルになるであろう。第３世代のパートナーシップ・プロジェクト（３ＧＰＰ）が音声及びデータを支援するためにＳＩＰを採用する理由は、必要なプロトコル機構を提供することにより、ＳＩＰが、加入者場所、加入者容量、加入者利用可能性、呼び出し制定、呼び出し処理、呼び出し送信、及び端末システムとエージェント・サーバとの間で転送する番号、等を実現することを保証することができるということである。
【０００４】
現在、ＳＩＰは、移動ネットワーク、インターネット及びＮＧＮ、等において最も重要なアプリケーション・プロトコルになってきている。無線ネットワークにおいては、ＳＩＰに基づくサービスは、主に：
プッシュ・トゥー・トーク・オーバ・セルラ（ＰＯＣ）サービス（ＰＯＣのためにオープン・モービル・アライアンス（ＯＭＡ）によって創設された仕様はＰＯＣ１．０であり、ＰＯＣ２．０は、直に来るであろう）；
シンプルに基づくプレゼンス・サービス（ＯＭＡは、シンプル・プレゼンス１．０を特定しており、プレゼンス２．０は、直に来るであろう）；
ＩＰ電話呼び出しのための開始プロトコルとしてＨ．２６３を代用する、ＩＰ電話サービス。
【０００５】
ＳＩＰに基づくサービスにおいては、２つ以上の団体間の加入者識別は、ユニバーサル・リソース・インディケータ（ＵＲＩ）であり、そして基本フォーマットは、以下の通りである：
ＵＲＬ；ＴＹＰＥ＝ＰＯＣ：ｓｉｐ：ｔｏｍ＠ｐｏｃ１．ｃｏｍ
ここに、ｔｏｍ＠ｐｏｃ１．ｃｏｍは、サフィックス（添え字）・ドメインによって識別されるｅメール・アドレスと同様であり、独特のワールドワイドである。
【０００６】
関連技術においては、加入者のＳＩＰ  ＵＲＩ情報は、均一な記憶位置ではなく一般に分散的に記憶される。例えば、ＰＯＣサービス及びＳＩＭＰＬＥ／ＩＭサービスにおいては、ＳＩＰ  ＵＲＩ情報は、クライアントのソフトウェア内に記憶される。
【０００７】
クライアントのソフトウェアは、埋め込みまたはダウンローディングを通して無線端末で動作することができる。クライアント端末及び最終加入者にクライアントのソフトウェアを書き込むための埋め込み手段は、ソフトウェアをアンインストールまたは再インストールすることができず、端末にクライアントのソフトウェアをダウンロード及びインストールするためのダウンロード手段は、何回でもできる。未来のサービスの発展傾向においては、ダウンロード・モードは、ダウンロード可能なクライアントのソフトウェアの柔軟性及び容易な更新のために、徐々に主流のアプリケーションになるであろう。
【０００８】
関連技術においては、ＳＩＰ  ＵＲＩ情報が均一な記憶位置を有さないので、ＳＩＰがクライアントのソフトウェアにのみ記憶されるならば、ＳＩＰ  ＵＲＩ情報は、加入者がソフトウェアを更新するときに喪失されがちである。さらに、ＳＩＰに基づく幾つかのサービスが共存するとき、ＳＩＰ  ＵＲＩ情報の記憶及び管理は複雑である。例えば、ＰＯＣサービスのＳＩＰ−ＵＲＩ及びＳＩＭＰＬＥ／ＰＲＥＣＥＮＳＥサービスのＳＩＰ−ＵＲＩは、それぞれ記憶されかつ管理されるが、ＰＯＣサービス及びＳＩＭＰＬＥ／ＰＲＥＣＥＮＳＥサービスが同じＳＩＰ−ＵＲＩを用いるとき、識別の共有のためには便利ではない。さらに、異なったベンダからの無線端末が均一な相互作用機構を欠いているので、ＳＩＰに基づく無線端末は、個人的なＳＩＰ  ＵＲＩ情報を便宜的に交換することができず、このことは、端末間の通信効率に影響を与える。
【発明の開示】
【発明が解決しようとする課題】
【０００９】
本発明の目的は、ＳＩＰに基づくサービスにおける無線端末によって用いられるＳＩＰ  ＵＲＩ情報の記憶モードが均一でなく、かつ端末間でのＳＩＰ  ＵＲＩ情報の交換のために便宜的でないという関連技術における課題を解決するよう、無線端末の加入者識別の記憶及び相互作用（ｉｎｔｅｒａｃｔｉｏｎ：対話）のための方法及び装置を提供することである。
【課題を解決するための手段】
【００１０】
上述の目的に基づいて、本発明は、ＳＩＰ（セッション・イニシエーション・プロトコル）に基づくサービスにおいて適用される、無線端末の加入者識別の記憶及び相互作用のための方法であって、無線電子カードのコンテントとして無線電子カードにおける無線端末のＳＩＰ  ＵＲＩ（セッション・イニシエーション・プロトコル・ユニバーサル・リソース指示子）情報を記憶することを含み、該ＳＩＰ  ＵＲＩ（セッション・イニシエーション・プロトコル・ユニバーサル・リソース指示子）情報は、無線端末間で、もしくは無線電子カードの形態においてネットワーク側及び無線端末間で相互作用する方法を提供する。
【００１１】
当該方法における記憶プロセスは、さらに、ＳＩＰ  ＵＲＩ（セッション・イニシエーション・プロトコル・ユニバーサル・リソース指示子）情報及び同じ無線電子カードにおけるＳＩＰ  ＵＲＩ（セッション・イニシエーション・プロトコル・ユニバーサル・リソース指示子）情報に対応するサービスの識別を記憶することを含む。
【００１２】
当該方法における記憶プロセスは、さらに、所定の識別に従ってＳＩＰ  ＵＲＩ（セッション・イニシエーション・プロトコル・ユニバーサル・リソース指示子）情報を含む無線電子カードを識別することを含む。
【００１３】
無線電子カードは、局部標準限定された電子カード（ｖＣａｒｄ）であり、ｖＣａｒｄ（局部標準限定された電子カード）の交換技術に従って相互作用するか、または
無線電子カードは、ＤｅｖＩｎｆｏであり、ＤｅｖＩｎｆｏの交換技術に従って相互作用する。
【００１４】
無線電子カードは、局部標準限定された電子カード（ｖＣａｒｄ）であり、
記憶プロセスは、
記憶された情報がｖＣａｒｄ（局部標準限定された電子カード）のプロパティ・ネームとしてのＳＩＰ  ＵＲＩ（セッション・イニシエーション・プロトコル・ユニバーサル・リソース指示子）情報であることを表す指定された識別を記憶することと、
ｖＣａｒｄ（局部標準限定された電子カード）のパラメータとしてＳＩＰ（セッション・イニシエーション・プロトコル）サービス識別を記憶することと、
ｖＣａｒｄ（局部標準限定された電子カード）のプロパティ値としてＳＩＰ（セッション・イニシエーション・プロトコル）サービスに対応するＳＩＰ  ＵＲＩ（セッション・イニシエーション・プロトコル・ユニバーサル・リソース指示子）情報を記憶することと、を含む。
【００１５】
当該方法におけるＳＩＰ  ＵＲＩ（セッション・イニシエーション・プロトコル・ユニバーサル・リソース指示子）情報の相互作用プロセスは、
送信器が、ｖＣａｒｄ（局部標準限定された電子カード）の交換技術を介して受信器にｖＣａｒｄ（局部標準限定された電子カード）のリストを送信することと、
受信器が、ｖＣａｒｄ（局部標準限定された電子カード）のリストを探索し、そして、指定された識別に対応するｖＣａｒｄ（局部標準限定された電子カード）のプロパティ・ネームを見つけることと、
ｖＣａｒｄ（局部標準限定された電子カード）のプロパティ・ネームを選択し、そして、該プロパティ・ネームをＳＩＰ  ＵＲＩ（セッション・イニシエーション・プロトコル・ユニバーサル・リソース指示子）情報として記憶することと、
を含む。
【００１６】
各無線端末は、１つのＳＩＰ  ＵＲＩ（セッション・イニシエーション・プロトコル・ユニバーサル・リソース指示子）だけを有し、そして、無線端末によって登録されたすべてのＳＩＰサービスは、同じＳＩＰ  ＵＲＩ（セッション・イニシエーション・プロトコル・ユニバーサル・リソース指示子）を用いるか、または
各無線端末は、幾つかのＳＩＰ  ＵＲＩｓ（セッション・イニシエーション・プロトコル・ユニバーサル・リソース指示子）を有し、そして、無線端末によって登録された各ＳＩＰ（セッション・イニシエーション・プロトコル）サービスは、異なったＳＩＰ  ＵＲＩ（セッション・イニシエーション・プロトコル・ユニバーサル・リソース指示子）を用いるか、または
各無線端末は、幾つかのＳＩＰ  ＵＲＩ（セッション・イニシエーション・プロトコル・ユニバーサル・リソース指示子）を有し、そして、無線端末によって登録された幾つかのＳＩＰ（セッション・イニシエーション・プロトコル）サービスは、異なったＳＩＰ  ＵＲＩ（セッション・イニシエーション・プロトコル・ユニバーサル・リソース指示子）を用い、そして、無線端末によって登録された幾つかのＳＩＰ（セッション・イニシエーション・プロトコル）サービスは、同じＳＩＰ  ＵＲＩ（セッション・イニシエーション・プロトコル・ユニバーサル・リソース指示子）を用いるかする。
【００１７】
無線端末間での無線電子カードの相互作用は、赤外線送信、ブルートゥース送信または無線電話ネットワーク送信で行われ、
無線端末及びネットワーク間での無線電子カードの相互作用は、パケット・ドメイン・データ送信及び／または回路ドメイン・データ送信で行われる。
【００１８】
上述の目的に基づく本発明は、さらに、ＳＩＰ（セッション・イニシエーション・プロトコル）に基づくサービスにおいて適用される、無線端末の加入者識別の記憶及び相互作用のための装置であって、
局部無線電子カードを維持するよう構成され、かつ、無線電子カードの他の無線端末との交換またはネットワーク側との交換を実現するよう構成された無線電子カード機能モジュールと、
該無線電子カード機能モジュールにおける無線電子カード・リストに無線電子カードの形態でＳＩＰ  ＵＲＩ（セッション・イニシエーション・プロトコル・ユニバーサル・リソース指示子）情報を記憶するよう構成された、無線電子カード機能モジュールと接続されたカード生成モジュールと、
を備えた無線端末の加入者識別の記憶及び相互作用のための装置を提供する。
【００１９】
当該装置は、さらに、
他の無線端末の無線電子カード情報から、または無線電子カード機能モジュールによって受信されたネットワーク側から、ＳＩＰ  ＵＲＩ（セッション・イニシエーション・プロトコル・ユニバーサル・リソース指示子）情報を含む無線電子カードを見つけるよう構成された、そして、ＳＩＰ  ＵＲＩ（セッション・イニシエーション・プロトコル・ユニバーサル・リソース指示子）情報を選択して、それをＳＩＰ  ＵＲＩ（セッション・イニシエーション・プロトコル・ユニバーサル・リソース指示子）記憶モジュールに記憶するよう構成された、無線電子カード機能モジュールに接続されたカード分析モジュールと、
ＳＩＰ  ＵＲＩ（セッション・イニシエーション・プロトコル・ユニバーサル・リソース指示子）情報を記憶するよう構成された、カード分析モジュール及びカード生成モジュールに接続されたＳＩＰ  ＵＲＩ（セッション・イニシエーション・プロトコル・ユニバーサル・リソース指示子）記憶モジュールと、
を備える。
【００２０】
上述の説明は、ｖＣａｒｄにおける加入者のＳＩＰ  ＵＲＩ情報を記憶することにより完成したｖＣａｒｄ交換技術を用い、加入者のための個人的識別交換を単純かつ便宜的に実現し、そして加入者間での通信の効率を改善した、本発明における無線端末の加入者識別の記憶及び相互作用のための方法及び装置を示す。
【００２１】
同時に、本発明においては、局部的に記憶された電子カードは、ネットワーク側にコピーされ、そこに記憶される。クライアントのソフトウェアが更新されるか、もしくは、端末が喪失されると、ネットワーク側に記憶された電子カードは、局部場所にコピーされてカードにおけるＳＩＰ  ＵＲＩ情報を再獲得することができる。このように、クライアントのソフトウェアが更新されるかもしくは端末が喪失されたとき、端末識別情報は喪失されないであろう。
【００２２】
さらに、本発明においては、ＳＩＰに基づく異なったアプリケーションが同じフォーマットで記憶され、それにより、ソフトウェアの開発の複雑さが減じられて、ＳＩＰに基づく幾つかのサービスにとって独特のＳＩＰ  ＵＲＩを採用することが便利である。例えば、ＰＯＣサービス及び単純な現存サービスが同じＵＲＩを採用する。
【発明を実施するための最良の形態】
【００２３】
図面及び実施形態を参照して本発明を詳細に説明する。
【００２４】
本発明は、ＳＩＰプロトコルに基づく幾つかのサービスにおいて適用される、無線端末の加入者識別の記憶及び相互作用（ｉｎｔｅｒａｃｔｉｏｎ：対話）のための方法を提供するものであり、該方法は、無線電気カードの内容として無線電子カードにおけるＳＩＰ  ＵＲＩ情報を記憶するステップを含み、該ＳＩＰ  ＵＲＩ情報は、無線端末の間で、もしくは無線端末と無線電子カードの形態にあるネットワークとの間で相互作用（ｉｎｔｅｒａｃｔｉｏｎ：対話）をする。装置は、ローカル無線電子カード・リストを維持するよう構成されかつ無線電子カードを他の無線端末と交換するかまたはネットワークと交換するのを実現するよう構成された無線電子カード機能モジュールと、無線電子カード機能モジュールに接続されて、無線電子カード機能モジュールにおける無線電子カード・リストに無線電子カードの形態でＳＩＰ  ＵＲＩ情報を記憶するよう構成されたカード生成モジュールとを含む。
【００２５】
標準限定された無線電子カード（ｖＣａｒｄ）は、ＩＥＴＦによって特定された無線電子カードの種類である。ｖＣａｒｄを支援する、移動電話、移動パーソナル・コンピュータ、及びパーソナル・データ・アシスタント（ＰＤＡ）のような無線端末は、ｖＣａｒｄ交換技術の助けを借りて、赤外線、ブルートゥース、ＧＰＲＳ及びＣＤＭＡのような異なった送信態様を介する無線の個人情報を交換することができる。
【００２６】
本発明の好適な実施形態は、現在のｖＣａｒｄ交換技術の助けを借りて、ＳＩＰ  ＵＲＩ情報の加入者間での管理、バックアップ及び交換を実現する。
【００２７】
最初に、ＳＩＰ  ＵＲＩ情報は、ローカルｖＣａｒｄにおけるｖＣａｒｄフォーマットに従って記憶される。
【００２８】
関連技術におけるｖＣａｒｄのフォーマットは、以下の通りである。
【００２９】
PropertyName[;PropertyParameters]:PropertyValue
【００３０】
PropertyName は、ｖＣａｒｄのプロパティネームであり、PropertyParametersは、そのパラメータであり、ProperValueは、そのプロパティバリューである。
【００３１】
例えば、プロパティバリュー“ＴＥＬ”は、電話を表し、Property Parameters“ＨＯＭＥ”は、電話が家庭電話であることを意味し、ProperValue“＋１−９１９−５５５−１２３４”は、電話番号を表す。
【００３２】
ＳＩＰ  ＵＲＩ情報は、以下のステップを介してｖＣａｒｄに記憶される：
【００３３】
（１）ＳＩＰ  ＵＲＩ情報を記憶するｖＣａｒｄのプロパティネームを設定する。
【００３４】
新しいPropertyNameはＳＩＰ  ＵＲＩ情報、例えば、ＳＩＰ＿ＵＲＩ、並びに正常な電子カードから異なっている限りにおいて他のシンボル、を表すために追加される。
【００３５】
本発明においては、無線端末とＳＩＰ  ＵＲＩとの間の関係は、一対一であっても良いし、または一対多数であっても良い。無線端末は、１つのＳＩＰ  ＵＲＩだけを有し得、そして無線端末によって登録されるすべてのＳＩＰサービスは、同じＳＩＰ  ＵＲＩを用いるか；または、無線端末は、幾つかのＳＩＰ  ＵＲＩを有し得、そして無線端末によって登録される各ＳＩＰサービスは、異なったＳＩＰ  ＵＲＩを用いるか；または、無線端末は、幾つかのＳＩＰ  ＵＲＩを有し得、無線端末によって登録される幾つかのＳＩＰサービスは、異なったＳＩＰ  ＵＲＩを用い、そして幾つかのＳＩＰサービスは、同じＳＩＰ  ＵＲＩを用いる。
【００３６】
（２）ｖＣａｒｄパラメータとしてＳＩＰサービス識別を記憶する。
【００３７】
異なったパラメータが異なったＳＩＰサービスに従って採用され得る。
【００３８】
例えば、ＳＩＭＰＬＥがＳｉｍｐｌｅサービスのサービス識別であることができ、そしてｖＣａｒｄパラメータとしてサービスに対応するｖＣａｒｄに記憶されることができる；
【００３９】
ＰＯＣは、ＰＯＣサービスのサービス識別であることができ、そしてＰＯＣは、ｖＣａｒｄパラメータとしてサービスに対応するｖＣａｒｄに記憶されることができる；
【００４０】
ＩＰＰＨＯＮＥは、ＩＰＰＨＯＮＥサービスのサービス識別であることができ、そしてｖＣａｒｄパラメータとしてサービスに対応するｖＣａｒｄに記憶する；
【００４１】
（３）ｖＣａｒｄプロパティ・バリューとしてＳＩＰサービスに対応するＳＩＰ  ＵＲＩ情報を記憶する。
【００４２】
例えば：ＳＩＰサービスに対応するＳＩＰ  ＵＲＩ情報は：
【００４３】
ＵＲＬ；ＴＹＰＥ＝ＰＯＣ：ｓｉｐ：ｔｏｍ＠ｐｏｃ１．ｃｏｍ
【００４４】
ｖＣａｒｄ記憶フォーマットによれば、ＵＲＬ；ＴＹＰＥ＝ＰＯＣ：ＳＩＰサービスに対応するｖＣａｒｄのプロパティ・バリューの部分に記憶されるｓｉｐ：ｔｏｍ＠ｐｏｃ１．ｃｏｍｉｓ
【００４５】
例えば：ＶＣＡＲＤの正常な形態は：
【００４６】
ＢＥＧＩＮ：ＶＣＡＲＤ
【００４７】
PropertyName[’;’PropertyParameters]’:’PropertyValue
【００４８】
ＥＮＤ：ＶＣＡＲＤ
【００４９】
ＳＩＰ  ＵＲＩ情報がｖＣａｒｄのＯｂｊｅｃであるとき、異なったフィールドの例示的記憶フォーマットは：
【００５０】
ＰｒｏｐｅｔｙＮａｍｅがＳＩＰ＿ＵＲＩであり、
【００５１】
ＰｒｏｐｅｒｔｙＰａｒａｍｅｔｅｒｓはＰＯＣであり、
【００５２】
ＰｒｏｐｅｒｔｙＶａｌｕｅ    ｓｉｐ：ｔｏｍ＠ｐｏｃ１．ｃｏｍ
【００５３】
ｖＣａｒｄに記憶された例示的な完全ＳＩＰ  ＵＲＩ情報は、以下の通りである：
【００５４】
ｖＣａｒｄに記憶された例示的なＳＩＰ  ＵＲＩ情報は：
【００５５】
ＢＥＧＩＮ：ＶＣＡＲＤ
【００５６】
ＳＩＰ＿ＵＲＩ；ＰｏＣ：ｓｉｐ：ｔｏｍ＠ｐｏｃ１．ｃｏｍ
【００５７】
．．．．．．．．．．
【００５８】
ＥＮＤ：ＶＣＡＲＤ
【００５９】
無線端末が１つのＳＩＰサービスだけを登録するならば、登録されたサービスに対応する１つのＳＩＰ  ＵＲＩ情報レコードが、ローカルｖＣａｒｄに記憶されるべきであり；無線端末が同時に幾つかのＳＩＰサービスを登録するならば、登録されたサービスと一対一の関係であるＳＩＰ  ＵＲＩ情報レコードが、ローカルｖＣａｒｄリストに記憶されるべきである。
【００６０】
ローカルｖＣａｒｄリストにＳＩＰ  ＵＲＩ情報を記憶した後、無線端末は、ｖＣａｒｄ交換技術の助けを借りて、それを他の無線端末にまたはネットワーク側に送信することができる。図１が示すように、無線端末Ａ及びＢの双方が赤外線送信ｖＣａｒｄを支援すると仮定すると、無線端末Ａが無線端末Ｂに、局部的に記憶されたＳＩＰ  ＵＲＩ情報を送信する仮定は、以下の通りである：
【００６１】
ステップ１１、無線端末Ａ及びＢは、赤外線送信によって支援されるｖＣａｒｄの交換機能をそれぞれ開始する。
【００６２】
ステップ１２、無線端末Ａは、それ自身のＳＩＰ  ＵＲＩを含むｖＣａｒｄリストにおける情報を、ｖＣａｒｄ交換機能を用いることにより、赤外線インターフェースを介して無線端末Ｂに送信する；
さもなければ、無線端末Ａは、１つのｖＣａｒｄ情報レコードとしてｖＣａｒｄリストに記憶されたそのＳＩＰ  ＵＲＩ情報を、ｖＣａｒｄ交換機能を用いることにより赤外線インターフェースを介して無線端末Ｂに送信する。
【００６３】
ステップ１３、無線端末Ｂは、赤外線インターフェースを介して無線端末Ａから送られたｖＣａｒｄ情報を読取り、該情報をそのｖＣａｒｄリストに加える。
【００６４】
ステップ１４、無線端末Ｂは、無線端末Ａから送信されたｖＣａｒｄ情報に含まれたＳＩＰ  ＵＲＩ情報を選択し、該ＳＩＰ  ＵＲＩ情報を独立的に記憶する。
【００６５】
ステップ１４におけるＳＩＰ  ＵＲＩの詳細な選択は：指定されたＳＩＰ  ＵＲＩ識別であるプロパティ・ネームを有するｖＣａｒｄを探索すること、例えば、ＳＩＰ＿ＵＲＩのプロパティ・ネームを有するｖＣａｒｄを探索すること、そして次に、ｖＣａｒｄのプロパティ値を選択してそれを記憶すること、を含む。
【００６６】
さらに、指定されたＳＩＰ  ＵＲＩ識別であるプロパティ・ネームを有する全体のｖＣａｒｄ情報が記憶され得るか、またはｖＣａｒｄから選択されたそのプロパティ値及びｖＣａｒｄパラメータが一緒に記憶され得るか、またはプロパティ値を記憶するとき、該プロパティ値に対応するサービスが、幾つかのサービスを登録する無線端末に対して識別され得る。
【００６７】
無線端末Ｂは、それが無線端末Ａに対するＳＩＰサービス呼び出しを開始するとき、それが無線端末Ａに対応するＳＩＰ  ＵＲＩ情報を円滑に見つけることができるように、選択されたＳＩＰ  ＵＲＩを独立的に記憶する。
【００６８】
例えば、無線端末Ｂが無線端末ＡのＰｒｅｓｅｎｃｅ情報を読取るとき、無線端末Ｂは、独立的に記憶されたＳＩＰ  ＵＲＩから無線端末ＡのＰｒｅｓｅｎｃｅサービスに対応するＳＩＰ  ＵＲＩを選択する。例えば、無線端末Ｂは、“ＳＩＭＰＬＥ”に対応するプロパティ値を選択し得、次に、ＳＩＰ  ＵＲＩとして選択されたプロパティ値を含むリクエストをネットワーク側に送る。ネットワーク側における関連の機能サーバは、ＳＩＰ  ＵＲＩの有効性を認証する。ネットワーク側における関連の機能サーバは、ＳＩＰ  ＵＲＩの有効性を認証し、そして無線端末Ｂに無線端末ＡのＰｒｅｓｅｎｔ情報を送る。
【００６９】
無線端末Ｂが無線端末ＡからのＳＩＰ  ＵＲＩを独立的に記憶しないならば、それが無線端末に対するＳＩＰサービス呼び出しを開始するとき、それは、局部的に記憶されたｖＣａｒｄ情報における無線端末Ａに対応するＳＩＰ  ＵＲＩを探索することが必要である。
【００７０】
同様に、無線端末Ｂは、それ自身のＳＩＰ  ＵＲＩを上述のフロー・プロセスを介して無線端末Ａに送ることができる。
【００７１】
無線端末間でのｖＣａｒｄ情報の上述の送信は、赤外線送信に制限されず、また、ブルートゥース送信または無線電話ネットワーク送信であることができる。
【００７２】
さらに、本発明における無線端末は、ｖＣａｒｄリストを記憶するネットワーク側にＳＩＰ  ＵＲＩを含む局部的に記憶されたｖＣａｒｄリストを送信することができる。例として、ＧＰＲＳを支援する移動電話を取ると、無線端末は、最初に、ｖＣａｒｄバックアップ・サービスを開始し、次に、ＧＰＲＳを介して局部ｖＣａｒｄリストにおける情報を読取り、そして該情報を同期マーク言語７（ｓｙｎｃＭＬ）のキャリアを介してネットワーク側に送信する。
【００７３】
従って、無線端末が記憶された電子カードリストまたは他の無線端末のＳＩＰ  ＵＲＩを失った場合、もしくは加入者が無線端末を変えることを必要としたとき、前のネットワーク側におけるバックアップｖＣａｒｄリスト情報が局部端末にダウンロードされ得、そして無線端末における情報は、回復され得る。特定のプロセスに対しては図２を参照されたし。該プロセスは：
【００７４】
ステップ２１、無線端末がネットワーク側におけるバックアップｖＣａｒｄでサーバにログ・インする。
【００７５】
ステップ２２、無線端末は、局部ｖＣａｒｄを更新するためにネットワーク側におけるｖＣａｒｄ情報を選択し、そしてネットワーク側におけるバックアップｖＣａｒｄを有するサーバにリクエストを送る。
【００７６】
ここで、リクエストされたｖＣａｒｄ情報は、加入者によってネットワーク側において以前にバックアップされた局部ｖＣａｒｄリスト情報であることができ、そして、また、加入者が対応のダウンロード権利を有する限り他の無線端末加入者によってネットワーク側においてバックアップされたｖＣａｒｄリスト情報であることもできる。
【００７７】
ステップ２３、ネットワーク側においてバックアップｖＣａｒｄを有するサーバは、無線端末に加入者によってリクエストされたｖＣａｒｄ情報を送信する。
【００７８】
ステップ２４、無線端末は、ネットワーク側から送信されたｖＣａｒｄ情報に含まれたＳＩＰ  ＵＲＩを選択し、そして次に、それを記憶する。特定の選択及び記憶方法は、ステップ１４におけるものと同じである。
【００７９】
本発明は、また、上述の方法に従って無線端末の加入者識別の記憶及び相互作用（対話）のための装置も提供する。
【００８０】
好適な実施形態における装置のアーキテクチャが図３に示されている。該装置は、ｖＣａｒｄ機能モジュール、カード分析モジュール、カード生成モジュール及びＳＩＰ  ＵＲＩ記憶モジュールを含む。カード分析モジュール、ＳＩＰ  ＵＲＩ記憶モジュール及びカード生成モジュールは、引き続き接続される。カード生成モジュール及びカード分析モジュールは、ｖＣａｒｄ機能モジュールにそれぞれ接続される。
【００８１】
ここに、ｖＣａｒｄ機能モジュールは、ｖＣａｒｄ機能を支援して実現する無線端末におけるものであり、そして、ｖＣａｒｄリストを維持するよう、かつ、他の無線端末またはネットワーク側とのｖＣａｒｄ情報の交換を実現するよう主に構成されている。
【００８２】
カード生成モジュールは、ＳＩＰ  ＵＲＩ記憶モジュールから得られる局部または他の無線端末のＳＩＰ  ＵＲＩをｖＣａｒｄフォーマットに一体化し、それらをｖＣａｒｄ機能モジュールに記憶する。
【００８３】
カード分析モジュールは、他の無線端末のｖＣａｒｄ情報から、またはｖＣａｒｄ機能モジュールによって受信されたネットワーク側から、ＳＩＰ  ＵＲＩを含むｖＣａｒｄを見つけ、ＳＩＰ  ＵＲＩ情報を選択し、それをＳＩＰ  ＵＲＩ記憶モジュールに記憶する。
【００８４】
ＳＩＰ  ＵＲＩ記憶モジュールは、ＳＩＰ  ＵＲＩを記憶する。
【００８５】
本発明は、ＧＰＲＳ、ＷＣＤＭＡ、ＣＤＭＡ２０００、またはＴＤ−ＳＣＤＭＡのような異なったネットワークで実現されることができ、送信は、それに制限されるものではないが、パケット・ドメインまたは回路ドメインにおけるデータ送信を含む。
【００８６】
さらに、本発明の方法及び装置は、ｖＣａｒｄ技術に制限されるものではない。例えば、ＯＭＡのＤｅｖＩｎｆｏは、ＳＩＰ  ＵＲＩをＤｅｖＩｎｆｏフォーマットに一体化することができ、そして端末間の及び端末とネットワーク側との間のＳＩＰ  ＵＲＩ情報の相互作用は、ＤｅｖＩｎｆｏ技術によって実現され得る。詳細な方法のフロー及び装置のアーキテクチャは、ｖＣａｒｄの解決法におけるものと同様である。
【００８７】
本発明を好適な実施形態を参照して上に説明してきたけれども、それは本発明に対する制限として働くものではないことは理解されるべきである。種々の変更及び変形例が本発明において為され得ることは、当業者に明瞭であろう。従って、本発明は、特許請求の範囲及びそれと等価の範囲にあるならば、本発明の変更及び変形例を包摂するものであることが意図されている。
【図面の簡単な説明】
【００８８】
【図１】本発明における無線端末の加入者識別の記憶及び相互作用のための方法において無線端末間で無線電子カードを送信するプロセスを示すフローチャートである。
【図２】本発明における無線端末の加入者識別の記憶及び相互作用のための方法においてネットワーク側から加入者によって無線電子カードを得るプロセスを示すフローチャートである。
【図３】本発明における無線端末の加入者識別の記憶及び相互作用のための装置のアーキテクチャを示す概略図である。
【図１】
2009503957.tif 000003
【図２】
2009503957.tif 000004
【図３】
2009503957.tif 000005
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
セッション・イニシエーション・プロトコルに基づくサービスにおいて適用される、無線端末の加入者識別の記憶及び相互作用のための方法であって、
無線電子カード・リストにおける無線電子カードの形態で無線端末のセッション・イニシエーション・プロトコル・ユニバーサル・リソース指示子を記憶するための記憶ステップと、
該セッション・イニシエーション・プロトコル・ユニバーサル・リソース指示子は、無線端末間で、もしくは無線電子カードの形態においてネットワーク側及び無線端末間で相互作用する相互作用ステップと、
を含む無線端末の加入者識別の記憶及び相互作用のための方法。
【請求項２】
記憶ステップは、さらに、セッション・イニシエーション・プロトコル・ユニバーサル・リソース指示子及び同じ無線電子カードにおけるセッション・イニシエーション・プロトコル・ユニバーサル・リソース指示子に対応するサービスのサービス識別を記憶することを含む請求項１に記載の無線端末の加入者識別の記憶及び相互作用のための方法。
【請求項３】
記憶ステップは、さらに、所定の識別に従ってセッション・イニシエーション・プロトコル・ユニバーサル・リソース指示子を含む無線電子カードを識別することを含む請求項１に記載の無線端末の加入者識別の記憶及び相互作用のための方法。
【請求項４】
無線電子カードは、局部標準限定された電子カードであり、局部標準限定された電子カードの交換技術に従って相互作用する請求項１に記載の無線端末の加入者識別の記憶及び相互作用のための方法。
【請求項５】
無線電子カードは、ＤｅｖＩｎｆｏであり、そしてＤｅｖＩｎｆｏの交換技術に従って相互作用する請求項１に記載の無線端末の加入者識別の記憶及び相互作用のための方法。
【請求項６】
無線電子カードは、局部標準限定された電子カードであり、
記憶ステップは、
記憶された情報が局部標準限定された電子カードのプロパティ・ネームとしてのセッション・イニシエーション・プロトコル・ユニバーサル・リソース指示子であることを表す指定された識別を記憶することと、
局部標準限定された電子カードのパラメータとしてセッション・イニシエーション・プロトコル・サービス識別を記憶することと、
局部標準限定された電子カードのプロパティ値としてセッション・イニシエーション・プロトコル・サービスに対応するセッション・イニシエーション・プロトコル・ユニバーサル・リソース指示子を記憶することと、
を含む請求項１に記載の無線端末の加入者識別の記憶及び相互作用のための方法。
【請求項７】
相互作用ステップは、
送信器が、局部標準限定された電子カードの交換技術を介して受信器に局部標準限定された電子カードのリストを送信することと、
受信器が、局部標準限定された電子カードの受信されたリストから、指定された識別であるプロパティ・ネームを有する局部標準限定された電子カードを見つけることと、
得られた局部標準限定された電子カードのプロパティ・ネームを選択し、そして、それをセッション・イニシエーション・プロトコル・ユニバーサル・リソース指示子として記憶することと、
を含む請求項１に記載の無線端末の加入者識別の記憶及び相互作用のための方法。
【請求項８】
各無線端末は、１つのセッション・イニシエーション・プロトコル・ユニバーサル・リソース指示子だけを有し、そして、無線端末によって登録されたすべてのセッション・イニシエーション・プロトコル・サービスは、同じセッション・イニシエーション・プロトコル・ユニバーサル・リソース指示子を用いる請求項１に記載の無線端末の加入者識別の記憶及び相互作用のための方法。
【請求項９】
各無線端末は、幾つかのセッション・イニシエーション・プロトコル・ユニバーサル・リソース指示子を有し、そして、無線端末によって登録された各セッション・イニシエーション・プロトコル・サービスは、異なったセッション・イニシエーション・プロトコル・ユニバーサル・リソース指示子を用いる請求項１に記載の無線端末の加入者識別の記憶及び相互作用のための方法。
【請求項１０】
各無線端末は、幾つかのセッション・イニシエーション・プロトコル・ユニバーサル・リソース指示子を有し、そして、無線端末によって登録された幾つかのセッション・イニシエーション・プロトコル・サービスは、異なったセッション・イニシエーション・プロトコル・ユニバーサル・リソース指示子を用い、そして、幾つかのセッション・イニシエーション・プロトコル・サービスは、同じセッション・イニシエーション・プロトコル・ユニバーサル・リソース指示子を用いる請求項１に記載の無線端末の加入者識別の記憶及び相互作用のための方法。
【請求項１１】
無線端末間での無線電子カードの相互作用は、赤外線送信、ブルートゥース送信または無線電話ネットワーク送信で行われ、
無線端末及びネットワーク側間での無線電子カードの相互作用は、パケット・ドメイン・データ送信及び／または回路ドメイン・データ送信で行われる
請求項１に記載の無線端末の加入者識別の記憶及び相互作用のための方法。
【請求項１２】
セッション・イニシエーション・プロトコルに基づくサービスにおいて適用される、無線端末の加入者識別の記憶及び相互作用のための装置であって、
局部無線電子カード・リストを維持するよう、かつ、無線電子カードの他の無線端末またはネットワーク側との相互作用を実現するよう構成された無線電子カード機能モジュールと、
無線電子カード機能モジュールと接続するよう、かつ、該無線電子カード機能モジュールの無線電子カード・リストに無線電子カードの形態でセッション・イニシエーション・プロトコル・ユニバーサル・リソース指示子を記憶するよう構成されたカード生成モジュールと、
を備えた無線端末の加入者識別の記憶及び相互作用のための装置。
【請求項１３】
無線電子カード機能モジュールに接続するよう、そして、他の無線端末の無線電子カード情報から、または無線電子カード機能モジュールによって受信されたネットワーク側から、セッション・イニシエーション・プロトコル・ユニバーサル・リソース指示子を含む無線電子カードを見つけて、セッション・イニシエーション・プロトコル・ユニバーサル・リソース指示子を選択するよう構成されたカード分析モジュールをさらに含む請求項１２に記載の無線端末の加入者識別の記憶及び相互作用のための装置。
【請求項１４】
カード分析モジュール及びカード生成モジュールに接続するよう、かつ、カード分析モジュールによって選択されたセッション・イニシエーション・プロトコル・ユニバーサル・リソース指示子を記憶するよう構成されたセッション・イニシエーション・プロトコル・ユニバーサル・リソース指示子記憶モジュールをさらに含む請求項１３に記載の無線端末の加入者識別の記憶及び相互作用のための装置。
【請求項１５】
各無線端末は、１つのセッション・イニシエーション・プロトコル・ユニバーサル・リソース指示子だけを有し、そして、無線端末によって登録されたすべてのＳＩＰサービスは、同じセッション・イニシエーション・プロトコル・ユニバーサル・リソース指示子を用いる請求項１３に記載の無線端末の加入者識別の記憶及び相互作用のための装置。
【請求項１６】
各無線端末は、幾つかのセッション・イニシエーション・プロトコル・ユニバーサル・リソース指示子を有し、そして、無線端末によって登録された各セッション・イニシエーション・プロトコル・サービスは、異なったセッション・イニシエーション・プロトコル・ユニバーサル・リソース指示子を用いる請求項１３に記載の無線端末の加入者識別の記憶及び相互作用のための装置。
【請求項１７】
各無線端末は、幾つかのセッション・イニシエーション・プロトコル・ユニバーサル・リソース指示子を有し、そして、無線端末によって登録された幾つかのセッション・イニシエーション・プロトコル・サービスは、異なったセッション・イニシエーション・プロトコル・ユニバーサル・リソース指示子を用い、そして、幾つかのセッション・イニシエーション・プロトコル・サービスは、同じセッション・イニシエーション・プロトコル・ユニバーサル・リソース指示子を用いる請求項１３に記載の無線端末の加入者識別の記憶及び相互作用のための装置。
【請求項１８】
無線端末間での無線電子カードの相互作用は、赤外線送信、ブルートゥース送信または無線電話ネットワーク送信で行われ、
無線端末及びネットワーク側間での無線電子カードの相互作用は、パケット・ドメイン・データ送信及び／または回路ドメイン・データ送信で行われる
請求項１５に記載の無線端末の加入者識別の記憶及び相互作用のための装置。
【国際調査報告】
2009503957.tif 000006
2009503957.tif 000007
2009503957.tif 000008
2009503957.tif 000009